【手続補正書】
【提出日】平成22年3月19日(2010.3.19)
【手続補正１】
【補正対象書類名】特許請求の範囲
【補正対象項目名】全文
【補正方法】変更
【補正の内容】
【特許請求の範囲】
【請求項１】
設定された撮像条件に従い、撮像対象の試料を撮像した画像を表示可能な拡大観察装置であって、
前記撮像部で原画像を撮像する際の撮影条件として、少なくとも露光時間を設定するための撮像条件設定手段と、
前記試料の観察位置に対して、前記撮像条件設定手段で設定された撮像条件に従い、最小輝度と最大輝度の比である所定のダイナミックレンジを有する原画像を撮像するための撮像部と、
同一の観察位置において異なる撮像条件で撮像された複数枚の原画像を合成して、該原画像の階調幅よりも高階調な合成画像データを生成するための合成画像生成手段と、
前記撮像部で撮像した画像を表示するための表示部と、
前記合成画像生成手段で生成された合成画像データを、前記表示部での表示が可能な階調幅の低階調画像データに変換するための階調変換手段と、
を備え、さらに、
低階調画像データを保存する画像ファイルとして、元となる合成画像データを保存するための高階調画像領域を含めた高階調データ添付表示ファイルを生成可能な階調データ保存手段を備えることを特徴とする拡大観察装置。
【請求項２】
請求項１に記載の拡大観察装置において、
前記階調データ保存手段が生成する高階調データ添付表示ファイルに、該合成画像から低階調画像に階調変換した際の描画パラメータを記録した描画パラメータ保持領域を設けてなることを特徴とする拡大観察装置。
【請求項３】
請求項２に記載の拡大観察装置において、
前記階調データ保存手段が、既に保存された低階調画像に対し、前記描画パラメータ保持領域から読み出された描画パラメータを変更して、合成画像から新たな低階調画像に階調変換した際、既に合成画像と共に保存された低階調画像を、該新たな低階調画像に更新可能に構成してなることを特徴とする拡大観察装置。
【請求項４】
請求項１から３のいずれか一に記載の拡大観察装置において、
前記階調データ保存手段は、合成画像データのデータサイズを圧縮して低階調画像ファイルに付加して保存してなることを特徴とする拡大観察装置。
【請求項５】
請求項１から４のいずれか一に記載の拡大観察装置において、
前記階調データ保存手段は、合成画像データをテクスチャ成分と概形成分とに分離した状態で、該合成画像データを低階調画像ファイルに付加して保存してなることを特徴とする拡大観察装置。
【請求項６】
請求項５に記載の拡大観察装置において、
前記階調データ保存手段は、合成画像データから抽出された概形成分を少なくともデータサイズを圧縮して低階調画像ファイルに付加して保存してなることを特徴とする拡大観察装置。
【請求項７】
表示部に表示可能な階調以上の階調幅を有する高階調画像を低階調画像に階調変換して表示可能な拡大観察装置であって、
低階調画像を表示するための表示部と、
高階調画像を、前記表示部での表示が可能な階調幅の低階調画像データに階調変換するための階調変換手段と、
を備える拡大観察装置であって、さらに、
低階調画像データを保存する画像ファイルとして、元となる合成画像データを保存するための高階調画像領域を含めた高階調データ添付表示ファイルを生成可能な階調データ保存手段を備えることを特徴とする拡大観察装置。
【請求項８】
請求項１から７のいずれか一に記載の拡大観察装置において、さらに、
前記表示部で表示される低階調画像上の任意の点を指定することで、該点と対応する合成画像上の位置における画素値を読み出して表示させる対応画素リンク手段を備えることを特徴とする拡大観察装置。
【請求項９】
表示部に表示可能な階調以上の階調幅を有する高階調画像データを保存する高階調画像ファイル作成方法であって、
撮像部で原画像を撮像する際の撮影条件として、少なくとも露光時間を設定する工程と、
前記試料の観察位置に対して、設定された撮像条件に従い、最小輝度と最大輝度の比である所定のダイナミックレンジを有する原画像を、同一の観察位置において異なる露光条件で複数枚撮像する工程と、
複数枚の原画像を合成して、前記表示部で表示可能な画像よりも高階調な合成画像を生成する工程と、
生成された合成画像を、前記表示部で表示可能な階調幅の低階調画像データに階調変換する工程と、
合成画像データを、これを階調変換した低階調画像データに付加したファイル形式として、高階調データ添付表示ファイルを生成する工程と、
を含むことを特徴とする高階調画像ファイル作成方法。
【請求項１０】
表示部に表示可能な階調以上の階調幅を有する高階調画像データを保存する高階調画像ファイル作成方法であって、
撮像部で原画像を撮像する際の撮影条件として、少なくとも露光時間を設定する工程と、
前記試料の観察位置に対して、設定された撮像条件に従い、最小輝度と最大輝度の比である所定のダイナミックレンジを有する原画像を、同一の観察位置において異なる露光条件で複数枚撮像する工程と、
複数枚の原画像を合成して、前記表示部で表示可能な画像よりも高階調な合成画像を生成する工程と、
生成された合成画像を、前記表示部で表示可能な階調幅の低階調画像データに、所定の描画パラメータに従い階調変換する工程と、
合成画像データを、これを階調変換した低階調画像データに付加すると共に、該合成画像から低階調画像に階調変換した際の描画パラメータを記録したファイル形式とした高階調データ添付表示ファイルを生成する工程と、
を含むことを特徴とする高階調画像ファイル作成方法。
【請求項１１】
請求項１０に記載の高階調画像ファイル作成方法において、
既に生成された高階調データ添付表示ファイルに対し、該高階調データ添付表示ファイルから読み出された描画パラメータを変更して、該合成画像から新たな低階調画像に階調変換し、既に保存された低階調画像を、該新たな低階調画像と差し替えた高階調データ添付表示ファイルに更新可能に構成してなることを特徴とする高階調画像ファイル作成方法。
【請求項１２】
表示部に表示可能な階調以上の階調幅を有する高階調画像データを保存する高階調画像ファイル作成プログラムであって、
撮像部で原画像を撮像する際の撮影条件として、少なくとも露光時間を設定する機能と、
前記試料の観察位置に対して、設定された撮像条件に従い、最小輝度と最大輝度の比である所定のダイナミックレンジを有する原画像を、同一の観察位置において異なる露光条件で複数枚撮像する機能と、
複数枚の原画像を合成して、前記表示部で表示可能な画像よりも高階調な合成画像を生成する機能と、
生成された合成画像を、前記表示部で表示可能な階調幅の低階調画像データに階調変換する機能と、
合成画像データを、これを階調変換した低階調画像データに付加したファイル形式として、高階調データ添付表示ファイルを生成する機能と、
をコンピュータに実現させることを特徴とする高階調画像ファイル作成プログラム。
【請求項１３】
表示部に表示可能な階調以上の階調幅を有する高階調画像データを保存する高階調画像ファイル作成プログラムであって、
撮像部で原画像を撮像する際の撮影条件として、少なくとも露光時間を設定する機能と、
前記試料の観察位置に対して、設定された撮像条件に従い、最小輝度と最大輝度の比である所定のダイナミックレンジを有する原画像を、同一の観察位置において異なる露光条件で複数枚撮像する機能と、
複数枚の原画像を合成して、前記表示部で表示可能な画像よりも高階調な合成画像を生成する機能と、
生成された合成画像を、前記表示部で表示可能な階調幅の低階調画像データに、所定の描画パラメータに従い階調変換する機能と、
合成画像データを、これを階調変換した低階調画像データに付加すると共に、該合成画像から低階調画像に階調変換した際の描画パラメータを記録したファイル形式とした高階調データ添付表示ファイルを生成する機能と、
をコンピュータに実現させることを特徴とする高階調画像ファイル作成プログラム。
【請求項１４】
請求項１３に記載の高階調画像ファイル作成プログラムにおいて、
既に生成された高階調データ添付表示ファイルに対し、該高階調データ添付表示ファイルから読み出された描画パラメータを変更して、該合成画像から新たな低階調画像に階調変換し、既に保存された低階調画像を、該新たな低階調画像と差し替えた高階調データ添付表示ファイルに更新可能に構成してなることを特徴とする高階調画像ファイル作成プログラム。
【請求項１５】
表示部に表示可能な階調以上の階調幅を有する高階調画像データを保存する高階調画像ファイル作成プログラムであって、
高階調画像を、表示部で表示可能な低階調画像に、所定の描画パラメータに従い階調変換する機能と、
前記低階調画像を保存する画像ファイルに、前記高階調画像を付加した高階調データ添付表示ファイルを作成する機能と、
をコンピュータに実現させることを特徴とする高階調画像ファイル作成プログラム。
【請求項１６】
請求項１５に記載の高階調画像ファイル作成プログラムにおいて、さらに、
前記描画パラメータの情報も高階調データ添付表示ファイルに付加する機能
をコンピュータに実現させることを特徴とする高階調画像ファイル作成プログラム。
【請求項１７】
請求項１２から１６のいずれか一に記載されるプログラムを格納したコンピュータで読み取り可能な記録媒体。